(57)【要約】      （修正有）【課題】２枚のレンズからなり、配光角が広く、光線の分散が大きい照明用レンズ、この照明用レンズを備えた照明光学系、およびこの照明用レンズを備えた内視鏡を提供する。【解決手段】照明用レンズ１は、光源５側から被照射体側へ向かって順に、第１レンズＬ１と、第２レンズＬ２とからなる。第１レンズＬ１の光源５側の面および被照射体側の面は球面形状の凸面であり、第２レンズＬ２の光源５側の面は球面形状の凸面である。第１レンズおよび第２レンズの面の曲率半径に関する予め定められた条件式を満足する。【選択図】図１
2020140051.tif 000002
【特許請求の範囲】
【請求項１】
内視鏡の照明光学系に用いられる照明用レンズであって、
光源側から被照射体側へ向かって順に、第１レンズと、第２レンズとからなり、
前記第１レンズの光源側の面および被照射体側の面が球面形状の凸面であり、
前記第２レンズの光源側の面が球面形状の凸面であり、
前記第１レンズの光源側の面の曲率半径をＲｆ１、
前記第１レンズの被照射体側の面の曲率半径をＲｒ１、
前記第２レンズの光源側の面の曲率半径をＲｆ２とした場合、
【数１】
2020140051.tif 000018
で表される条件式（１）を満足する照明用レンズ。
【請求項２】
内視鏡用照明光学系に用いられる照明用レンズであって、
光源側から被照射体側へ向かって順に、第１レンズと、第２レンズとからなり、
前記第１レンズの光源側の面および被照射体側の面は球面形状の凸面であり、
前記第２レンズの光源側の面は球面形状の凸面であり、
前記第１レンズの光源側の面の曲率半径をＲｆ１、
前記第１レンズの被照射体側の面の曲率半径をＲｒ１、
前記第２レンズの光源側の面の曲率半径をＲｆ２とした場合、
【数２】
2020140051.tif 000019
で表される条件式（２）を満足する照明用レンズ。
【請求項３】
前記第２レンズの光軸上の厚みをｔ２、
前記第１レンズの光源側の面から前記第２レンズの被照射体側の面までの光軸上の距離をＴＬ、
前記第１レンズの焦点距離をｆ１、
前記第２レンズの焦点距離をｆ２とした場合、
０．６＜（ｔ２／ＴＬ）×（ｆ１／ｆ２）＜６    （３）
で表される条件式（３）を満足する請求項１または２に記載の照明用レンズ。
【請求項４】
前記照明用レンズの焦点距離をｆ、
前記第１レンズの光軸上の厚みをｔ１、
前記第１レンズの光源側の面から前記第２レンズの被照射体側の面までの光軸上の距離をＴＬとした場合、
０．０２＜｜（ｆ／Ｒｒ１）×（ｔ１／ＴＬ）｜＜０．２８    （４）
で表される条件式（４）を満足する請求項１から３のいずれか１項に記載の照明用レンズ。
【請求項５】
前記第１レンズのｄ線に対する屈折率をＮ１、
前記第２レンズのｄ線に対する屈折率をＮ２とした場合、
３．６＜Ｎ１×Ｎ２＜９    （５）
で表される条件式（５）を満足する請求項１から４のいずれか１項に記載の照明用レンズ。
【請求項６】
前記第２レンズの被照射体側の面が平面である請求項１から５のいずれか１項に記載の照明用レンズ。
【請求項７】
光ファイバから射出された光が入射される請求項１から６のいずれか１項に記載の照明用レンズ。
【請求項８】
【数３】
2020140051.tif 000020
で表される条件式（１−１）を満足する請求項１に記載の照明用レンズ。
【請求項９】
【数４】
2020140051.tif 000021
で表される条件式（２−１）を満足する請求項２に記載の照明用レンズ。
【請求項１０】
０．６５＜（ｔ２／ＴＬ）×（ｆ１／ｆ２）＜３    （３−１）
で表される条件式（３−１）を満足する請求項３に記載の照明用レンズ。
【請求項１１】
０．０５＜｜（ｆ／Ｒｒ１）×（ｆ１／ＴＬ）｜＜０．２５    （４−１）
で表される条件式（４−１）を満足する請求項４に記載の照明用レンズ。
【請求項１２】
３．７＜Ｎ１×Ｎ２＜７    （５−１）
で表される条件式（５−１）を満足する請求項５に記載の照明用レンズ。
【請求項１３】
請求項１から１２のいずれか１項に記載の照明用レンズを備えた照明光学系。
【請求項１４】
請求項１から１２のいずれか１項に記載の照明用レンズを備えた内視鏡。
【発明の詳細な説明】
【技術分野】
【０００１】
本開示は、照明用レンズ、照明光学系、および内視鏡に関する。
【背景技術】
【０００２】
従来、内視鏡の挿入部の先端部には被検体を照明するための照明光学系が配置されている。下記特許文献１から３には、このような照明光学系に適用可能な２枚の正レンズからなる照明用レンズが記載されている。
【先行技術文献】
【特許文献】
【０００３】
【特許文献１】特許第４８７４０３２号公報
【特許文献２】特許第２９９４２２９号公報
【特許文献３】特開２０１８−１９４７４６号公報
【発明の概要】
【発明が解決しようとする課題】
【０００４】
内視鏡先端部の小型化および低コスト化が進むに伴い、内視鏡の照明用レンズにも小型化および低コスト化を図ることが求められており、レンズ枚数の少ない構成でありながら、良好な配光特性を実現することが要求されている。
【０００５】
内視鏡は広角の観察視野を有するため、内視鏡の照明用レンズにも広角かつ均等性が高い配光特性を有することが求められる。局部的に照明光が集中してしまうと発熱が生じてしまうため、発熱を抑えるように配光特性を考慮することが必要である。上記要望を満たすためには照明用レンズから被照射体側へ射出される光線の分散が大きいことが望ましい。
【０００６】
特許文献１から３に記載の照明用レンズは、照明用レンズから被照射体側に射出される光線の分散が小さいため、レンズ構成を最適化して光線の分散をより大きくすることが望まれる。
【０００７】
本開示は、上記事情に鑑みなされたものであり、２枚のレンズからなり、配光角が広く、被照射体側における光線の分散が大きい照明用レンズ、この照明用レンズを備えた照明光学系、およびこの照明用レンズを備えた内視鏡を提供することを目的とするものである。
【課題を解決するための手段】
【０００８】
本開示の第１の態様に係る照明用レンズは、内視鏡の照明光学系に用いられる照明用レンズであって、光源側から被照射体側へ向かって順に、第１レンズと、第２レンズとからなり、第１レンズの光源側の面および被照射体側の面が球面形状の凸面であり、第２レンズの光源側の面が球面形状の凸面であり、第１レンズの光源側の面の曲率半径をＲｆ１、第１レンズの被照射体側の面の曲率半径をＲｒ１、第２レンズの光源側の面の曲率半径をＲｆ２とした場合、下記条件式（１）を満足する。
【数１】
2020140051.tif 000003
【０００９】
上記の第１の態様に係る照明用レンズにおいては、下記条件式（１−１）を満足することが好ましい。
【数２】
2020140051.tif 000004
【００１０】
本開示の第２の態様に係る照明用レンズは、内視鏡用照明光学系に用いられる照明用レンズであって、光源側から被照射体側へ向かって順に、第１レンズと、第２レンズとからなり、第１レンズの光源側の面および被照射体側の面は球面形状の凸面であり、第２レンズの光源側の面は球面形状の凸面であり、第１レンズの光源側の面の曲率半径をＲｆ１、第１レンズの被照射体側の面の曲率半径をＲｒ１、第２レンズの光源側の面の曲率半径をＲｆ２とした場合、下記条件式（２）を満足する。
【数３】
2020140051.tif 000005
【００１１】
上記の第２の態様に係る照明用レンズにおいては、下記条件式（２−１）を満足することが好ましい。
【数４】
2020140051.tif 000006
【００１２】
上記の本開示の第１および第２の態様に係る照明用レンズを総括して以下では本開示の上記態様の照明用レンズと称する。本開示の上記態様の照明用レンズは、第２レンズの光軸上の厚みをｔ２、第１レンズの光源側の面から第２レンズの被照射体側の面までの光軸上の距離をＴＬ、第１レンズの焦点距離をｆ１、第２レンズの焦点距離をｆ２とした場合、下記条件式（３）を満足することが好ましく、下記条件式（３−１）を満足することがより好ましい。
０．６＜（ｔ２／ＴＬ）×（ｆ１／ｆ２）＜６    （３）
０．６５＜（ｔ２／ＴＬ）×（ｆ１／ｆ２）＜３    （３−１）
【００１３】
本開示の上記態様の照明用レンズは、照明用レンズの焦点距離をｆ、第１レンズの光軸上の厚みをｔ１、第１レンズの光源側の面から第２レンズの被照射体側の面までの光軸上の距離をＴＬとした場合、下記条件式（４）を満足することが好ましく、下記条件式（４−１）を満足することがより好ましい。
０．０２＜｜（ｆ／Ｒｒ１）×（ｔ１／ＴＬ）｜＜０．２８    （４）
０．０５＜｜（ｆ／Ｒｒ１）×（ｆ１／ＴＬ）｜＜０．２５    （４−１）
【００１４】
本開示の上記態様の照明用レンズは、第１レンズのｄ線に対する屈折率をＮ１、第２レンズのｄ線に対する屈折率をＮ２とした場合、下記条件式（５）を満足することが好ましく、下記条件式（５−１）を満足することがより好ましい。
３．６＜Ｎ１×Ｎ２＜９    （５）
３．７＜Ｎ１×Ｎ２＜７    （５−１）
【００１５】
本開示の上記態様の照明用レンズにおいては、第２レンズの被照射体側の面が平面であることが好ましい。
【００１６】
本開示の上記態様の照明用レンズは、光ファイバから射出された光が入射されるように構成してもよい。
【００１７】
本開示の別の態様に係る照明光学系は、本開示の上記態様の照明用レンズを備えている。
【００１８】
本開示のさらに別の態様に係る内視鏡は、本開示の上記態様の照明用レンズを備えている。
【００１９】
なお、本明細書の「〜からなり」、「〜からなる」は、挙げられた構成要素以外に、実質的に屈折力を有さないレンズ、並びに、絞り、フィルタ、およびカバーガラス等のレンズ以外の光学要素、並びに、レンズフランジ、およびレンズバレル等が含まれていてもよいことを意図する。
【００２０】
なお、本明細書において、「正の屈折力を有するレンズ」および「正レンズ」は同義である。「単レンズ」は、接合されていない１枚のレンズを意味する。複合非球面レンズ（球面レンズと、その球面レンズ上に形成された非球面形状の膜とが一体的に構成されて、全体として１つの非球面レンズとして機能するレンズ）は、接合レンズとは見なさず、１枚のレンズとして扱う。
【００２１】
本明細書において、レンズの屈折力の符号、レンズの面の曲率半径、およびレンズの面の形状は、特に断りが無い限り、近軸領域で考えることにする。これは非球面レンズについても同様である。曲率半径の符号は、物体側に凸面を向けた形状の面の曲率半径の符号を正、像側に凸面を向けた形状の面の曲率半径の符号を負とする。
【００２２】
本明細書において、条件式で用いている「焦点距離」は、近軸焦点距離である。条件式で用いている「ＴＬ」は幾何学的距離である。条件式で用いている値は、ｄ線（波長５８７．５６ｎｍ（ナノメートル））を基準とした場合の値である。
【発明の効果】
【００２３】
本開示によれば、２枚のレンズからなり、配光角が広く、被照射体側における光線の分散が大きい照明用レンズ、この照明用レンズを備えた照明光学系、およびこの照明用レンズを備えた内視鏡を提供することができる。
【図面の簡単な説明】
【００２４】
【図１】本開示の一実施形態に係る照明光学系の構成を示す断面図である。
【図２】本開示の別の実施形態に係る照明光学系の構成を示す断面図である。
【図３】本開示の実施例１の照明用レンズに光軸上の１点から射出した複数の光線を入射させた場合の光線の状態を示す図である。
【図４】本開示の実施例１の照明用レンズに光軸外の１点から射出した複数の光線を入射させた場合の光線の状態を示す図である。
【図５】本開示の実施例２の照明用レンズに光軸上の１点から射出した複数の光線を入射させた場合の光線の状態を示す図である。
【図６】本開示の実施例２の照明用レンズに光軸外の１点から射出した複数の光線を入射させた場合の光線の状態を示す図である。
【図７】本開示の実施例３の照明用レンズに光軸上の１点から射出した複数の光線を入射させた場合の光線の状態を示す図である。
【図８】本開示の実施例３の照明用レンズに光軸外の１点から射出した複数の光線を入射させた場合の光線の状態を示す図である。
【図９】本開示の一実施形態に係る内視鏡の概略構成図である。
【図１０】比較例の照明用レンズに光軸上の１点から射出した複数の光線を入射させた場合の光線の状態を示す図である。
【発明を実施するための形態】
【００２５】
以下、本開示の実施形態について図面を参照して詳細に説明する。図１は、本開示の一実施形態に係る照明光学系１０の構成を示す断面図である。照明光学系１０は内視鏡に用いられる光学系であり、本開示の一実施形態に係る照明用レンズ１を備える。図１に示す照明用レンズ１は後述の実施例１に対応している。照明光学系１０はまた、光源５と、ライトガイド３とを備える。ライトガイド３は、複数の光ファイバが束ねられたバンドルファイバからなる。光源５とライトガイド３との間に導光用の部材が配されていてもよい。図１では、左側が光源側、右側が被照射体側である。
【００２６】
光源５から射出された光は、ライトガイド３を経由して照明用レンズ１に入射し、照明用レンズ１から射出されて照明光となる。照明用レンズ１が、内視鏡の挿入部の先端部に配置されている場合は、上記照明光は観察対象である被照射体（不図示）を照明する。
【００２７】
なお、本開示の照明光学系は、図１に示す構成に限定されない。例えば、図２に示す照明光学系２０のように、ライトガイド３を用いることなく光源１５からの光が直接、照明用レンズ１に入射するように構成してもよい。また、光源５および光源１５として面光源を用いてもよい。
【００２８】
図１に示す構成において、照明用レンズ１は、光軸Ｚに沿って光源側から被照射体側へ向かって順に、第１レンズＬ１と、第２レンズＬ２との２枚のレンズからなる。第１レンズＬ１の光源側の面および被照射体側の面は球面形状の凸面である。すなわち、第１レンズＬ１は両凸形状の球面レンズである。第２レンズＬ２の光源側の面は球面形状の凸面である。照明用レンズ１のレンズ枚数を２枚にし、少なくとも３つの面を球面にすることによって、低コスト化に有利となる。
【００２９】
第２レンズＬ２の被照射体側の面は平面であるように構成してもよい。照明用レンズ１が内視鏡の挿入部の先端部に配置された場合は、第２レンズＬ２の被照射体側の面は、体液、洗浄液、および油脂等にさらされる虞がある。第２レンズＬ２の被照射体側の面を平面とした場合は上記液および油脂等が付着しにくく、また付着した場合でも洗浄が容易となり、先端部の発熱の抑制に寄与できる。
【００３０】
照明用レンズ１は、第１レンズＬ１の光源側の面の曲率半径をＲｆ１、第１レンズＬ１の被照射体側の面の曲率半径をＲｒ１、第２レンズＬ２の光源側の面の曲率半径をＲｆ２とした場合、以下に述べる条件式（１）および条件式（２）の少なくとも一方を満足するように構成される。
【数５】
2020140051.tif 000007
【数６】
2020140051.tif 000008
【００３１】
条件式（１）の（Ｒｒ１＋Ｒｆ１）／（Ｒｒ１−Ｒｆ１）は、第１レンズＬ１のシェイプファクターである。条件式（１）の下限以下とならないようにレンズの面形状を規定することによって、広い配光角を有し、かつ照明光の光線の分散を大きくすることに有利となる。条件式（１）の上限以上とならないようにレンズの面形状を規定することによって、レンズ面における全反射を抑制できる、もしくは軸外光線の一部が遮光されることを抑制できる。これによって、光量損失を抑制できる。照明用レンズ１に入射して照明光として射出されない光は発熱の要因となる虞があるため、条件式（１）の上限以上とならないようにすることによって、発熱の抑制に寄与することができる。なお、軸外光線の一部の遮光はレンズ外径を大きくすることによって抑制可能な場合もあるが、そのようにした場合はレンズの小径化の要望に反してしまう。
【００３２】
条件式（２）の（Ｒｆ２＋Ｒｆ１）／（Ｒｆ２−Ｒｆ１）は、第１レンズＬ１の光源側の面および第２レンズＬ２の光源側の面に関するシェイプファクターである。条件式（２）の（Ｒｆ２＋Ｒｒ１）／（Ｒｆ２−Ｒｒ１）は、第１レンズＬ１と第２レンズＬ２の間に形成される空気レンズのシェイプファクターである。条件式（２）の下限以下とならないようにレンズの面形状を規定することによって、広い配光角を有し、かつ照明光の光線の分散を大きくすることに有利となる。条件式（２）の上限以上とならないようにレンズの面形状を規定することによって、レンズ面における全反射を抑制できる、もしくは軸外光線の一部が遮光されることを抑制できる。上記の条件式（１）の上限の効果と同様に、条件式（２）の上限以上とならないようにすることによって、レンズの小径化を図りながら発熱の抑制に寄与することができる。
【００３３】
照明用レンズ１は、下記条件式（１−１）および下記条件式（２−１）の少なくとも一方を満足すれば、より良好な特性とすることができる。
【数７】
2020140051.tif 000009
【数８】
2020140051.tif 000010
【００３４】
図３に、ライトガイド３の射出端面の光軸上の１点から射出した６本の光線を図１の照明用レンズ１に入射させた場合の光線の状態を示す。図３ではライトガイド３の図示を省略している。これら６本の光線は光軸Ｚとなす角が互いに異なる。図３では、被照射体側での光線の交点に関して、光軸Ｚに対して最も大きな角度で射出した２本の光線の交点Ｐ１、光軸Ｚに対して２番目に大きな角度で射出した２本の光線の交点Ｐ２、光軸Ｚに対して３番目に大きな角度で射出した２本の光線の交点Ｐ３をそれぞれ黒い点で示す。交点Ｐ１、交点Ｐ２、交点Ｐ３は密集せず離れて位置しており、光線が大きく分散されていることがわかる。
【００３５】
図４には、ライトガイド３の射出端面の光軸外の１点から射出した７本の光線を図１の照明用レンズ１に入射させた場合の光線の状態を示す。図４ではライトガイド３の図示を省略している。これら７本の光線は光軸Ｚとなす角が互いに異なり、そのうち１本の光線は光軸Ｚと平行に射出している。図４に示す場合も被照射体側において各光線の交点は密集せず離れて位置しており、光線が大きく分散されていることがわかる。被照射体側における光線の分散を大きくすることによって、先端部の発熱を抑制することができる。
【００３６】
また、光線の分散を大きくすることによって、ライトガイド３の射出端面の像が照明用レンズ１によって被照射体の面上に結像されるのを抑制することができる。バンドルファイバからなるライトガイド３の射出端面は、発光していないクラッドおよびファイバ間の隙間と、発光しているコアとが同一面上に配列されているため、暗部と明部とを含んでいる。このライトガイド３の射出端面の像が被照射体の面上に結像されると明暗のパターンが被照射体の面上に投影されることになり、この投影像が鮮明な場合は観察に支障が生じてしまう。本実施形態のように被照射体側における光線の分散を大きくしておけば、被照射体の面上における明暗のパターンの投影像の発生を抑制することができる。したがって、照明用レンズ１がバンドルファイバからなるライトガイド３と組み合わせて使用される場合は特に有効である。
【００３７】
比較例として、図３同様に、ライトガイド３の射出端面の光軸上の１点から射出した６本の光線を特許文献１の実施例１に入射させた場合の光線の状態を図１０に示す。図１０においても同様に、光軸Ｚに対して最も大きな角度で射出した２本の光線の交点Ｐ１、光軸Ｚに対して２番目に大きな角度で射出した２本の光線の交点Ｐ２、光軸Ｚに対して３番目に大きな角度で射出した２本の光線の交点Ｐ３をそれぞれ黒い点で示す。図１０に示す比較例では、交点Ｐ１、交点Ｐ２、交点Ｐ３は密集しており、光線の分散が小さいことがわかる。
【００３８】
なお、上記の図３、図４、図１０を参照した説明では、ライトガイド３の射出端面から射出した光線について説明したが、図１のライトガイド３の射出端面を図２の光源１５の射出面と置き換えて、図２の構成においても同様に考えることができる。この点は後述の実施例についても同様である。
【００３９】
本開示の照明用レンズ１は、さらに以下に述べる構成を有することが好ましい。第２レンズＬ２の光軸上の厚みをｔ２、第１レンズＬ１の光源側の面から第２レンズＬ２の被照射体側の面までの光軸上の距離をＴＬ、第１レンズＬ１の焦点距離をｆ１、第２レンズＬ２の焦点距離をｆ２とした場合、下記条件式（３）を満足することが好ましい。条件式（３）の下限以下とならないようにすることによって、広角の配光特性を得ることに有利となる。条件式（３）の上限以上とならないようにすることによって、レンズ面における全反射を抑制できる、もしくは軸外光線の一部が遮光されることを抑制できる。また、条件式（３）の上限以上とならないようにすることによって、第２レンズＬ２の光軸上の厚みが厚くなるのを抑制できるため、照明用レンズ１を透過する光量の低下を抑制できるので、照明用レンズ１内部での発熱を抑制できる。なお、下記条件式（３−１）を満足すれば、より良好な特性とすることができる。
０．６＜（ｔ２／ＴＬ）×（ｆ１／ｆ２）＜６    （３）
０．６５＜（ｔ２／ＴＬ）×（ｆ１／ｆ２）＜３    （３−１）
【００４０】
また、照明用レンズ１の焦点距離をｆ、第１レンズＬ１の光軸上の厚みをｔ１、第１レンズＬ１の光源側の面から第２レンズＬ２の被照射体側の面までの光軸上の距離をＴＬとした場合、下記条件式（４）を満足することが好ましい。条件式（４）の下限以下とならないようにすることによって、第１レンズＬ１の被照射体側の面の屈折力が弱くなり過ぎないため、小径化に有利となる。条件式（４）の上限以上とならないようにすることによって、レンズ面における全反射を抑制できる、もしくは軸外光線の一部が遮光されることを抑制できる。また、条件式（４）の上限以上とならないようにすることによって、第１レンズＬ１の光軸上の厚みが厚くなるのを抑制できるため、照明用レンズ１を透過する光量の低下を抑制できるので、照明用レンズ１内部での発熱を抑制できる。なお、下記条件式（４−１）を満足すれば、より良好な特性とすることができる。
０．０２＜｜（ｆ／Ｒｒ１）×（ｔ１／ＴＬ）｜＜０．２８    （４）
０．０５＜｜（ｆ／Ｒｒ１）×（ｆ１／ＴＬ）｜＜０．２５    （４−１）
【００４１】
また、第１レンズＬ１のｄ線に対する屈折率をＮ１、第２レンズＬ２のｄ線に対する屈折率をＮ２とした場合、下記条件式（５）を満足することが好ましい。条件式（５）の下限以下とならないようにすることによって、広角の配光特性を得ることに有利となる。条件式（５）の上限以上とならないようにすることによって、希少なレンズ材料を用いることなく構成可能になるため、大幅なコストアップを避けることができる。なお、下記条件式（５−１）を満足すれば、より良好な特性とすることができる。
３．６＜Ｎ１×Ｎ２＜９    （５）
３．７＜Ｎ１×Ｎ２＜７    （５−１）
【００４２】
上述した好ましい構成および可能な構成は、任意の組合せが可能であり、要求される仕様に応じて適宜選択的に採用されることが好ましい。本開示によれば、レンズ枚数を２枚に抑えて小型化を図った構成でありながら、配光角が広く、被照射体側における光線の分散が大きい照明用レンズを実現することができる。
【００４３】
次に、本開示の照明用レンズの数値実施例について説明する。
［実施例１］
実施例１の照明用レンズの構成は図１に示しており、その構成と図示方法は述した通りであるので、ここでは重複説明を一部省略する。実施例１の照明用レンズは、光源側から被照射体側へ向かって順に、正の屈折力を有する第１レンズＬ１と、正の屈折力を有する第２レンズＬ２とからなる。第１レンズＬ１は両凸形状の球面レンズである。第２レンズＬ２は光源側の面が球面の凸面であり、被照射体側の面が平面である。第１レンズＬ１および第２レンズＬ２は単レンズである。以上が実施例１の照明用レンズの概要である。
【００４４】
実施例１の照明用レンズの基本レンズデータを表１に、諸元を表２に示す。表１において、Ｓｎの欄には最も光源側の面を第１面とし被照射体側に向かうに従い１つずつ番号を増加させた場合の面番号を示し、Ｒの欄には各面の曲率半径を示し、Ｄの欄には各面とその被照射体側に隣接する面との光軸上の面間隔を示す。また、Ｎｄの欄には各レンズのｄ線に対する屈折率を示し、νｄの欄には各レンズのｄ線基準のアッベ数を示す。表１では、光源側に凸面を向けた形状の面の曲率半径の符号を正、被照射体側に凸面を向けた形状の面の曲率半径の符号を負としている。
【００４５】
表２に、照明用レンズの焦点距離ｆ、照明用レンズの光源側に配置されるライトガイド３の射出端面の直径ＬＧＤｉａ、このライトガイド３と照明用レンズとの光軸上の間隔ｄ０をｄ線基準で示す。表１および表２では予め定められた桁でまるめた数値を記載している。
【００４６】
【表１】
2020140051.tif 000011
【００４７】
【表２】
2020140051.tif 000012
【００４８】
実施例１の照明用レンズについて、ライトガイドの射出端面の１点から射出した複数の光線を入射させた場合の光線の状態は、図３および図４に示している。これらの説明は上述したとおりであるのでここでは重複説明を省略する。
【００４９】
上記の実施例１に関する各データの記号、意味、記載方法、および図示方法は、特に断りが無い限り以下の実施例においても同様であるので、以下では重複説明を省略する。
【００５０】
［実施例２］
実施例２の照明用レンズは、実施例１の照明用レンズの概要と同様の構成を有する。実施例２の照明用レンズも実施例１の照明用レンズと同様にライトガイドと組み合わせて使用可能である。実施例２の照明用レンズについて、基本レンズデータを表３に、諸元を表４に示す。
【００５１】
【表３】
2020140051.tif 000013
【００５２】
【表４】
2020140051.tif 000014
【００５３】
実施例２の照明用レンズについて、ライトガイドの射出端面の光軸上の１点から射出した複数の光線を入射させた場合の光線の状態、およびライトガイドの射出端面の光軸外の１点から射出した複数の光線を入射させた場合の光線の状態をそれぞれ、図５および図６に示す。
【００５４】
［実施例３］
実施例３の照明用レンズは、実施例１の照明用レンズの概要と同様の構成を有する。実施例３の照明用レンズも実施例１の照明用レンズと同様にライトガイドと組み合わせて使用可能である。実施例３の照明用レンズについて、基本レンズデータを表５に、諸元を表６に示す。
【００５５】
【表５】
2020140051.tif 000015
【００５６】
【表６】
2020140051.tif 000016
【００５７】
実施例３の照明用レンズについて、ライトガイドの射出端面の光軸上の１点から射出した複数の光線を入射させた場合の光線の状態、およびライトガイドの射出端面の光軸外の１点から射出した複数の光線を入射させた場合の光線の状態をそれぞれ、図７および図８に示す。
【００５８】
表７に、実施例１〜３の照明用レンズの条件式（１）〜（５）の対応値を示す。実施例１〜３はｄ線を基準波長としている。表７にはｄ線基準での値を示す。
【００５９】
【表７】
2020140051.tif 000017
【００６０】
次に、本開示の実施形態に係る内視鏡について説明する。図９に本開示の一実施形態に係る内視鏡の概略的な全体構成図を示す。図９に示す内視鏡１００は、主として、操作部１０２と、挿入部１０４と、コネクタ部（不図示）と接続されるユニバーサルコード１０６とを備える。挿入部１０４の大半は挿入経路に沿って任意の方向に曲がる軟性部１０７であり、軟性部１０７の先端には湾曲部１０８が連結され、湾曲部１０８の先端には先端部１１０が連結されている。湾曲部１０８は、先端部１１０を所望の方向に向けるために設けられるものであり、操作部１０２に設けられた湾曲操作ノブ１０９を回動させることにより湾曲操作が可能となっている。先端部１１０の内部先端に本開示の実施形態に係る照明用レンズ１が配設される。図９では照明用レンズ１を概略的に図示している。本開示の内視鏡は、本開示の実施形態に係る照明用レンズを備えているため、挿入部１０４の先端部の小型化を図りつつ、発熱が抑えられ、広角で良好な照明光を用いて観察が可能である。
【００６１】
以上、実施形態および実施例を挙げて本開示の技術を説明したが、本開示の技術は上記実施形態および実施例に限定されず、種々の変形が可能である。例えば、各レンズの曲率半径、面間隔、屈折率、およびアッベ数等は、上記各数値実施例で示した値に限定されず、他の値をとり得る。
【符号の説明】
【００６２】
１  照明用レンズ
３  ライトガイド
５、１５  光源
１０、２０  照明光学系
１００  内視鏡
１０２  操作部
１０４  挿入部
１０６  ユニバーサルコード
１０７  軟性部
１０８  湾曲部
１０９  湾曲操作ノブ
１１０  先端部
Ｌ１  第１レンズ
Ｌ２  第２レンズ
Ｐ１、Ｐ２、Ｐ３  交点
ｔ１  第１レンズの光軸上の厚み
ｔ２  第２レンズの光軸上の厚み
ＴＬ  第１レンズの光源側の面から第２レンズの被照射体側の面までの光軸上の距離
Ｚ  光軸
【図１】
2020140051.tif 000022
【図２】
2020140051.tif 000023
【図３】
2020140051.tif 000024
【図４】
2020140051.tif 000025
【図５】
2020140051.tif 000026
【図６】
2020140051.tif 000027
【図７】
2020140051.tif 000028
【図８】
2020140051.tif 000029
【図９】
2020140051.tif 000030
【図１０】
2020140051.tif 000031